(57)【要約】  本発明にかかる中央処理装置および該方法ならびに被監視者監視システムでは、第１および第２操作受付装置を１対１または多対１で対応付けた関係を表す対応関係情報が記憶され、前記第２操作受付装置で第２操作を受け付けた旨を表す第１通信信号を受信した場合に、この受信した第１通信信号の第２操作受付装置に対応する第１操作受付装置が前記対応関係情報から選定され、この選定された第１操作受付装置に対応する第１処理を引き継いで、前記第２操作を受け付けた場合に実行される第２処理が実行される。
2017026219.tif 000002
【特許請求の範囲】
【請求項１】
所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作が前記センサ装置を介して通報された場合に前記第１操作に対応する所定の第１処理を実行し、前記第２操作受付装置で受け付けた前記第２操作が前記センサ装置を介して通報された場合に前記第２操作に対応する所定の第２処理を実行し、前記センサ装置から通報された前記被監視者における前記所定の行動に関する検知行動情報を管理する中央処理装置とを備える被監視者監視システムの前記中央処理装置であって、
通信を行う通信部と、
前記第１操作受付装置と前記第２操作受付装置とを、１対１および多対１のうちの一方で対応付けた関係を表す対応関係情報を記憶する記憶部と、
前記第１および第２処理それぞれを実行する処理部とを備え、
前記処理部は、前記第２操作受付装置で前記第２操作を受け付けた旨を表す第１通信信号を前記通信部で受信した場合に、前記受信した第１通信信号の前記第２操作受付装置に対応する第１操作受付装置を前記記憶部に記憶された前記対応関係情報から選定し、前記選定した第１操作受付装置に対応する前記第１処理を引き継いで、前記第２操作を受け付けた場合に実行される前記第２処理を実行する、
中央処理装置。
【請求項２】
前記第１操作受付装置は、前記第１操作としてナースコールを受け付けるナースコール受付操作ボタン装置であり、
前記第２操作受付装置は、前記第２操作としてナースコールの解除を受け付けるナースコール解除操作ボタン装置であり、
前記処理部は、前記ナースコール受付操作ボタン装置で前記ナースコールを受け付けた旨を表す第２通信信号を前記通信部で受信した場合に、前記受信した第２通信信号の前記ナースコール受付操作ボタン装置でナースコールを受け付けた旨を通報し、前記ナースコール解除操作ボタン装置で前記ナースコールの解除を受け付けた旨を表すナースコール解除通信信号を前記第１通信信号として前記通信部で受信した場合に、前記受信したナースコール解除通信信号の前記ナースコール解除操作ボタン装置に対応するナースコール受付操作ボタン装置を前記記憶部に記憶された前記対応関係情報から選定し、前記選定したナースコール受付操作ボタン装置に対応するナースコールの受付を、前記第２操作を受け付けた場合に実行される前記第２処理として、解除する、
請求項１に記載の中央処理装置。
【請求項３】
所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作が前記センサ装置を介して通報された場合に前記第１操作に対応する所定の第１処理を実行し、前記第２操作受付装置で受け付けた前記第２操作が前記センサ装置を介して通報された場合に前記第２操作に対応する所定の第２処理を実行し、前記センサ装置から通報された前記被監視者における前記所定の行動に関する検知行動情報を管理する中央処理装置とを備える被監視者監視システムの中央処理方法であって、
通信を行う通信工程と、
前記第１操作受付装置と前記第２操作受付装置とを、１対１および多対１のうちの一方で対応付けた関係を表す対応関係情報を記憶部に記憶する記憶工程と、
前記第１および第２処理それぞれを実行する処理工程とを備え、
前記処理工程は、前記第２操作受付装置で前記第２操作を受け付けた旨を表す第１通信信号を前記通信工程で受信した場合に、前記受信した第１通信信号の前記第２操作受付装置に対応する第１操作受付装置を前記記憶部に記憶された前記対応関係情報から選定し、前記選定した第１操作受付装置に対応する前記第１処理を引き継いで、前記第２操作を受け付けた場合に実行される前記第２処理を実行する、
中央処理方法。
【請求項４】
所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作が前記センサ装置を介して通報された場合に前記第１操作に対応する所定の第１処理を実行し、前記第２操作受付装置で受け付けた前記第２操作が前記センサ装置を介して通報された場合に前記第２操作に対応する所定の第２処理を実行し、前記センサ装置から通報された前記被監視者における前記所定の行動に関する検知行動情報を管理する中央処理装置とを備える被監視者監視システムであって、
前記中央処理装置は、請求項１または請求項２に記載の中央処理装置である、
被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看介護者よりもその増加が見込まれる。【０００３】
このような要看護者や要介護者は、病院や、老人福祉施設（日本の法令では老人短期入所施設、養護老人ホームおよび特別養護老人ホーム等）等の施設に入所し、その看護や介護を受ける。このような病院や老人福祉施設等の施設では、要看護者等が看護や介護を受けようとする場合に看護師や介護士を呼ぶために利用される、いわゆるナースコールシステムが一般に設けられている。【０００４】
このような技術の一つとして、例えば特許文献１に開示されたナースコールシステムがある。この特許文献１に開示されたナースコールシステムは、患者が看護師を呼び出すためにベッド毎に設置されたナースコール子機と、患者からの呼び出しに応答するためにナースステーションに設置されたナースコール親機と、患者からの呼び出しに応答するために看護師が携行する携帯端末と、前記ナースコール子機、前記ナースコール親機、前記携帯端末の間の通信を制御する制御機とを有するナースコールシステムであって、前記携帯端末に看護師ＩＤを入力するログイン機能を設けると共に、前記携帯端末のログインを認証する認証サーバを備える一方、前記制御機を複数備えて制御機毎に制御対象の前記ナースコール子機、前記ナースコール親機、及び前記携帯端末のグループが設定され、前記認証サーバは、看護師ＩＤ及び携帯端末ＩＤを登録したＩＤ情報記憶部と、携帯端末ＩＤの所属グループ及び制御機アドレスを記憶するグループ情報記憶部とを有し、ログイン操作により前記携帯端末から送信された看護師ＩＤ及び携帯端末ＩＤが、ＩＤ情報記憶部に登録されたＩＤであれば、ログインを認証して所属するグループの前記制御機のアドレス情報を前記携帯端末に返信すると共に、当該携帯端末と看護師を関連付けする一方、前記携帯端末は、各種操作を行う操作ボタンを表示する表示部と、ログイン認証を受けて入手した所属グループの制御機アドレス情報を基に、当該制御機にアクセスして所属グループの病棟情報、前記ナースコール子機情報、前記ナースコール親機情報等の所属グループ情報、更に他の制御機アドレスの情報を取得し、前記表示部に少なくとも所属グループのナースコール子機及びナースコール親機の呼出ボタンと、通信エリアを変更するために他の制御機にアクセスするエリア選択ボタンを表示する。【０００５】
ところで、ナースコールシステムでは、一般に、ナースコールを受け付けるナースコール受付操作ボタン装置（ナースコール受付操作スイッチ装置）と、その受け付けたナースコールの解除を受け付けるナースコール解除操作ボタン装置（ナースコール解除操作スイッチ装置）とが用意されている。このようなナースコール受付操作ボタン装置（ＮＣ受付操作ボタン装置）は、１個の例えば病室や居室等の部屋に１個とは限らず複数配置されている場合がある。例えば、複数の要看護者等が入室するいわゆる大部屋では、各ベッドごとに対応して各ＮＣ受付操作ボタン装置が配置され、これら各ＮＣ受付操作ボタン装置に対し１個のナースコール解除操作ボタン装置（ＮＣ解除操作ボタン装置）が例えば前記大部屋の出入り口付近等に配置される。また例えば、いわゆる個室でも、ＮＣ受付操作ボタン装置は、ベットサイド、洗面およびトイレ等の各位置ごとに各ＮＣ受付操作ボタン装置が配置され、これら各ＮＣ受付操作ボタン装置に対し１個のＮＣ解除操作ボタン装置が例えば前記個室の出入り口付近等に配置される。また例えば、共用スペース、例えば共用トイレでは、各トイレ（各トイレの個室）ごとに各ＮＣ受付操作ボタン装置が配置され、これら各ＮＣ受付操作ボタン装置それぞれに対し各ＮＣ解除操作ボタン装置が前記各トイレごとに配置される。このようにＮＣ受付操作ボタン装置およびＮＣ解除操作ボタン装置の配置態様は、様々な態様がある。ナースコールを処理する中央処理装置がＮＣ受付操作ボタン装置およびＮＣ解除操作ボタン装置それぞれと有線で接続される場合には、中央処理装置における接続端子をペアとすることで物理的に視覚的にＮＣ受付操作ボタン装置とＮＣ解除操作ボタン装置とのペアが明確であるので、誤配線しない限り、ＮＣ受付操作ボタン装置とＮＣ解除操作ボタン装置との対応関係を誤ることなく、ＮＣ解除操作ボタン装置で受け付けたナースコールの解除に対応するナースコールを適切に解除できる。中央処理装置とＮＣ受付操作ボタン装置およびＮＣ解除操作ボタン装置それぞれとの間の通信回線に無線を含む場合でも、ＮＣ解除操作ボタン装置で受け付けたナースコールの解除に対応するナースコールを適切に解除できることが望まれる。
【先行技術文献】
【特許文献】
【０００６】
【特許文献１】特開２０１５−６１２２７号公報
【発明の概要】
【０００７】
本発明は、上述の事情に鑑みて為された発明であり、その目的は、中央処理装置と第１操作受付装置および第２操作受付装置それぞれとの間の通信回線に無線を含む場合でも、第１操作受付装置と第２操作受付装置とを適切に対応付けられる被監視者監視システムの中央処理装置および中央処理方法ならびに前記被監視者監視システムを提供することである。
【０００８】
本発明にかかる中央処理装置および該方法ならびに被監視者監視システムでは、第１および第２操作受付装置を１対１または多対１で対応付けた関係を表す対応関係情報が記憶され、前記第２操作受付装置で第２操作を受け付けた旨を表す第１通信信号を受信した場合に、この受信した第１通信信号の第２操作受付装置に対応する第１操作受付装置が前記対応関係情報から選定され、この選定された第１操作受付装置に対応する第１処理を引き継いで、前記第２操作を受け付けた場合に実行される第２処理が実行される。
【０００９】
上記並びにその他の本発明の目的、特徴及び利点は、以下の詳細な記載と添付図面から明らかになるであろう。
【図面の簡単な説明】
【００１０】
【図１】実施形態における被監視者監視システムの構成を示す図である。
【図２】実施形態の被監視者監視システムにおけるナースコール受付操作ボタン装置およびナースコール解除操作ボタン装置の配置態様の一例を示す図である。
【図３】実施形態の被監視者監視システムにおける管理サーバ装置の構成を示すブロック図である。
【図４】実施形態の被監視者監視システムにおける管理サーバ装置に記憶される通報先情報テーブルの構成を示す図である。
【図５】実施形態の被監視者監視システムにおける管理サーバ装置に記憶される対応関係情報テーブルの構成を示す図である。
【図６】実施形態の被監視者監視システムにおけるセンサ装置の構成を示すブロック図である。
【図７】実施形態の被監視者監視システムにおける操作ボタン装置の構成を示すブロック図である。
【図８】実施形態の被監視者監視システムにおける管理サーバ装置の主にナースコールに関する動作を示すフローチャートである。
【発明を実施するための形態】
【００１１】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１２】
図１は、実施形態における被監視者監視システムの構成を示す図である。図２は、実施形態の被監視者監視システムにおけるナースコール受付操作ボタン装置およびナースコール解除操作ボタン装置の配置態様の一例を示す図である。図２Ａは、第１配置態様を示し、図２Ｂは、第２配置態様を示す。図３は、実施形態の被監視者監視システムにおける管理サーバ装置の構成を示すブロック図である。図４は、実施形態の被監視者監視システムにおける管理サーバ装置に記憶される通報先情報テーブルの構成を示す図である。図５は、実施形態の被監視者監視システムにおける管理サーバ装置に記憶される対応関係情報テーブルの構成を示す図である。図６は、実施形態の被監視者監視システムにおけるセンサ装置の構成を示すブロック図である。図７は、実施形態の被監視者監視システムにおける操作ボタン装置の構成を示すブロック図である。図７Ａは、ナースコール受付操作ボタン装置を示し、図７Ｂは、ナースコール解除操作ボタン装置を示す。
【００１３】
実施形態における被監視者監視システムは、監視すべき（見守るべき）監視対象（見守り対象）である被監視者（見守り対象者）を複数の機器を用いて監視するものであり、例えば、所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作が前記センサ装置を介して通報された場合に前記第１操作に対応する所定の第１処理を実行し、前記第２操作受付装置で受け付けた前記第２操作が前記センサ装置を介して通報された場合に前記第２操作に対応する所定の第２処理を実行し、前記センサ装置から通報された前記被監視者における前記所定の行動に関する検知行動情報を管理する中央処理装置とを備える。そして、本実施形態では、前記中央処理装置は、通信を行う通信部と、前記第１操作受付装置と前記第２操作受付装置とを、１対１および多対１のうちの一方で対応付けた関係を表す対応関係情報を記憶する記憶部と、前記第１および第２処理それぞれを実行する処理部とを備え、前記処理部は、前記第２操作受付装置で前記第２操作を受け付けた旨を表す第１通信信号を前記通信部で受信した場合に、前記受信した第１通信信号の前記第２操作受付装置に対応する第１操作受付装置を前記記憶部に記憶された前記対応関係情報から選定し、前記選定した第１操作受付装置に対応する前記第１処理を引き継いで、前記第２操作を受け付けた場合に実行される前記第２処理を実行する。
【００１４】
このような被監視者監視システムにおける前記第１および第２操作受付装置（操作ボタン装置、操作スイッチ装置）それぞれは、１対１で、あるいは、多対１で互いに対応付けられることで所定の機能を果たす装置であれば、任意の操作受付装置であってよい。例えば、操作受付装置は、例えば看護士や介護士等のナースを呼び出すナースコールの受付やその解除を行うための装置であって良い。また例えば、操作受付装置は、センサ装置における検知動作のスリープやその解除（すなわちアクティブ）を行うための装置であって良い。また例えば、操作受付装置は、センサ装置における検知結果の送信の停止やその解除を行うための装置であって良い。また例えば、管理サーバ装置が外部の機器（例えば携帯端末装置等）にセンサ装置の検知結果を通報（報知）する機能を持つ場合に、操作受付装置は、管理サーバ装置における前記通報の停止やその解除を行うための装置であって良い。
【００１５】
ここでは、一例として、操作受付装置がナースコールの受付やその解除を行うための装置である場合について説明する。すなわち、前記第１操作受付装置は、前記第１操作としてナースコールを受け付けるナースコール受付操作ボタン装置（ＮＣ受付操作ボタン装置）であり、前記第２操作受付装置は、前記第２操作としてナースコールの解除を受け付けるナースコール解除操作ボタン装置（ＮＣ解除操作ボタン装置）であり、前記処理部は、前記ＮＣ受付操作ボタン装置で前記ナースコールを受け付けた旨を表す第２通信信号を前記通信部で受信した場合に、前記受信した第２通信信号の前記ＮＣ受付操作ボタン装置でナースコールを受け付けた旨を通報し、前記ＮＣ解除操作ボタン装置で前記ナースコールの解除を受け付けた旨を表すナースコール解除通信信号を前記第１通信信号として前記通信部で受信した場合に、前記受信したナースコール解除通信信号の前記ＮＣ解除操作ボタン装置に対応するＮＣ受付操作ボタン装置を前記記憶部に記憶された前記対応関係情報から選定し、前記選定したＮＣ受付操作ボタン装置に対応するナースコールの受付を、前記第２操作を受け付けた場合に実行される前記第２処理として、解除するものである。
【００１６】
より具体的には、被監視者監視システムＭＳは、例えば、図１に示すように、１または複数のＮＣ受付操作ボタン装置ＮＣＲＢ（ＮＣＲＢ−１１、ＮＣＲＢ−１２、ＮＣＲＢ−２１、・・・、ＮＣＲＢ−Ｃ１、ＮＣＲＢ−Ｃ２、ＮＣＲＢ−Ｃ３）と、１または複数のＮＣ解除操作ボタン装置ＮＣＣＢ（ＮＣＣＢ−１１、ＮＣＣＢ−２１、・・・、ＮＣＣＢ−Ｃ１、ＮＣＣＢ−Ｃ２、ＮＣＣＢ−Ｃ３）と、１または複数のセンサ装置ＳＵ（ＳＵ−１、ＳＵ−２、・・・、ＳＵ−Ｃ）と、管理サーバ装置ＳＶと、固定端末装置ＳＰと、１または複数の携帯端末装置ＴＡ（ＴＡ−１、ＴＡ−２）とを備える。ＮＣ受付操作ボタン装置ＮＣＲＢおよびＮＣ解除操作ボタン装置ＮＣＣＢそれぞれは、センサ装置ＳＵと無線で通信可能に接続されている。そして、センサ装置ＳＵ、管理サーバ装置ＳＶ、固定端末装置ＳＰおよび携帯端末装置ＴＡは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続されている。ネットワークＮＷには、通信信号を中継する例えばリピーター、ブリッジ、ルーターおよびクロスコネクト等の中継機が備えられても良い。図１に示す例では、複数のＮＣ受付操作ボタン装置ＮＣＲＢ−１１、ＮＣＲＢ−１２、ＮＣＲＢ−２１、・・・、ＮＣＲＢ−Ｃ１、ＮＣＲＢ−Ｃ２、ＮＣＲＢ−Ｃ３から受信した通信信号の内容は、センサ装置ＳＵで中継されて管理サーバ装置ＳＶへ送信され、複数のＮＣ解除操作ボタン装置ＮＣＣＢ−１１、ＮＣＣＢ−２１、・・・、ＮＣＣＢ−Ｃ１、ＮＣＣＢ−Ｃ２、ＮＣＣＢ−Ｃ３から受信した通信信号の内容は、センサ装置ＳＵで中継されて管理サーバ装置ＳＶへ送信される。そして、これら複数のセンサ装置ＳＵ−１、ＳＵ−２、ＳＵ−Ｃ、管理サーバ装置ＳＶ、固定端末装置ＳＰおよび複数の携帯端末装置ＴＡ−１、ＴＡ−２は、アクセスポイントＡＰを含む無線ＬＡＮのネットワークＮＷによって互いに通信可能に接続されている。
【００１７】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００１８】
ＮＣ受付操作ボタン装置ＮＣＲＢは、所定の第１操作を受け付ける第１操作受付装置の一例に相当し、前記所定の第１操作としてナースコールを受け付ける装置であり、センサ装置ＳＵと通信可能に接続される。ＮＣ受付操作ボタン装置ＮＣＲＢは、被監視者Ｏｂ等からナースコールを受け付けると、ナースコールを受け付けた旨を表す第１操作受付通信信号をセンサ装置ＳＵに送信する。より具体的には、ＮＣ受付操作ボタン装置ＮＣＲＢは、例えば、図７Ａに示すように、ナースコール受付側ボタン（ＮＣボタン）３１ａと、ナースコール受付側制御処理部（ＮＣ制御処理部）３２ａと、ナースコール受付側通信インターフェース部（ＮＣ通信ＩＦ部）３３ａと、ナースコール受付側表示部（ＮＣ表示部）３４ａと、ナースコール受付側記憶部（ＮＣ記憶部３５ａ）とを備える。
【００１９】
ＮＣボタン３１ａは、ＮＣ制御処理部３２ａに接続され、ナースコールを当該ＮＣ受付操作ボタン装置ＮＣＲＢに入力するための例えば押しボタン式スイッチ等のスイッチ回路である。
【００２０】
ＮＣ通信ＩＦ部３３ａは、ＮＣ制御処理部３２ａに接続され、ＮＣ制御処理部３２ａの制御に従ってセンサ装置ＳＵとの間で無線通信するための通信回路である。ＮＣ通信ＩＦ部３３ａは、ＮＣ制御処理部３２ａから入力された転送すべきデータを収容した通信信号（例えば前記第１操作受付通信信号等）を、センサ装置ＳＵとの間で用いられる通信プロトコルに従って生成し、この生成した通信信号をセンサ装置ＳＵへ送信する。ＮＣ通信ＩＦ部３３ａは、センサ装置ＳＵから通信信号を受信し、この受信した通信信号からデータを取り出し、この取り出したデータをＮＣ制御処理部３２ａが処理可能な形式のデータに変換してＮＣ制御処理部３２ａへ出力する。ＮＣ通信ＩＦ部３３ａは、例えば、Ｂｌｕｅｔｏｏｔｈ（登録商標）規格やＩｒＤＡ（Ｉｎｆｒａｒｅｄ  Ｄａｔａ  Ａｓｓｃｏｉａｔｉｏｎ）規格等の規格を用い、外部機器との間でデータの入出力を行う通信インターフェース回路であり、本実施形態では、前記Ｂｌｕｅｔｏｏｔｈ（登録商標）規格の通信インターフェース回路である。
【００２１】
ＮＣ表示部３４ａは、ＮＣ制御処理部３２ａに接続され、ＮＣ制御処理部３２ａの制御に従ってＮＣボタン３１ａでナースコールを受け付けた旨を表示するための表示回路である。ＮＣ表示部３４ａは、例えば発光ダイオード（ＬＥＤ）およびその駆動回路等を備えたインジケータ回路である。
【００２２】
ＮＣ記憶部３５ａは、ＮＣ制御処理部３２ａに接続され、ＮＣ制御処理部３２ａの制御に従って、各種の所定のプログラムおよび各種の所定のデータを記憶する回路である。前記各種の所定のプログラムには、例えば、ＮＣ受付操作ボタン装置ＮＣＲＢの各部を当該各部の機能に応じてそれぞれ制御するＮＣ制御プログラムや、ＮＣボタン３１ａでナースコールを受け付けた場合に、例えば前記ＬＥＤを発光すること等によってナースコールを受け付けた旨をＮＣ表示部３４ａに表示し、第１操作受付通信信号を生成してＮＣ通信ＩＦ部３３ａを用いてセンサ装置ＳＵへ送信するナースコール受付操作プログラムや、ナースコールの解除を指示するための通信信号である第１操作解除通信信号をＮＣ通信ＩＦ部３３ａで受信した場合に、例えば前記ＬＥＤを消灯すること等によってナースコールを解除（復帰）した旨をＮＣ表示部３４ａに表示するナースコール解除表示プログラム等の制御処理プログラムが含まれる。前記各種の所定のデータには、自機の、ＮＣ受付操作ボタン装置ＮＣＲＢを特定し識別するための識別子であるＮＣ受付操作ボタン識別子（ＮＣ受付操作ボタンＩＤ）、センサ装置ＳＵの通信アドレス等の各プログラムを実行する上で必要なデータ等が含まれる。ＮＣ記憶部３５ａは、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＮＣ記憶部３５ａは、前記所定のプログラムの実行中に生じるデータ等を記憶するいわゆるＮＣ制御処理部３２ａのワーキングメモリとなるＲＡＭ（Ｒａｎｄｏｍ  Ａｃｃｅｓｓ  Ｍｅｍｏｒｙ）等を含む。
【００２３】
ＮＣ制御処理部３２ａは、ＮＣ受付操作ボタン装置ＮＣＲＢの各部を当該各部の機能に応じてそれぞれ制御するための回路である。ＮＣ制御処理部３２ａは、ＮＣボタン３１ａでナースコールを受け付けた場合に、例えば前記ＬＥＤを発光すること等によってナースコールを受け付けた旨をＮＣ表示部３４ａに表示し、第１操作受付通信信号を生成してＮＣ通信ＩＦ部３３ａを用いてセンサ装置ＳＵへ送信する。前記第１操作受付通信信号は、センサ装置ＳＵの通信アドレスを送信先として、ナースコールを受け付けた旨を表す情報であるナースコール受付情報、および、前記ナースコール受付情報に対応する、ナースコールを受け付けたＮＣ受付操作ボタン装置ＮＣＲＢを示す当該ＮＣ受付操作ボタン装置ＮＣＲＢのＮＣ受付操作ボタンＩＤ等を収容する。ＮＣ制御処理部３２ａは、自機宛の第１操作解除通信信号をＮＣ通信ＩＦ部３３ａで受信した場合に、例えば前記ＬＥＤを消灯すること等によってナースコールを解除した旨をＮＣ表示部３４ａに表示する。前記第１操作解除通信信号は、ナースコールの解除を指示する旨を表す情報であるナースコール解除指示情報（ナースコール解除コマンド）、および、前記ナースコール解除指示情報に対応する、ナースコールを解除させるＮＣ受付操作ボタン装置ＮＣＲＢを示す当該ＮＣ受付操作ボタン装置ＮＣＲＢのＮＣ受付操作ボタンＩＤ等を収容する。ＮＣ制御処理部３２ａは、例えば、ＣＰＵ（Ｃｅｎｔｒａｌ  Ｐｒｏｃｅｓｓｉｎｇ  Ｕｎｉｔ）およびその周辺回路を備えて構成される。
【００２４】
なお、ＮＣ制御処理部３２ａおよびＮＣ記憶部３５ａは、いわゆるワンチップマイクロコンピュータを備えて構成されても良い。
【００２５】
ＮＣ解除操作ボタン装置ＮＣＣＢは、前記第１操作と異なる所定の第２操作を受け付ける第２操作受付装置の一例に相当し、前記所定の第２操作としてナースコールの解除を受け付ける装置であり、センサ装置ＳＵと通信可能に接続される。ＮＣ解除操作ボタン装置ＮＣＣＢは、監視者等からナースコールの解除を受け付けると、ナースコールの解除を受け付けた旨を表す第２操作受付通信信号をセンサ装置ＳＵへ送信する。より具体的には、ＮＣ解除操作ボタン装置ＮＣＣＢは、例えば、図７Ｂに示すように、ナースコール解除側ボタン（ＮＣＣボタン）３１ｂと、ナースコール解除側制御処理部（ＮＣＣ制御処理部）３２ｂと、ナースコール解除側通信インターフェース部（ＮＣＣ通信ＩＦ部）３３ｂと、ナースコール解除側記憶部（ＮＣＣ記憶部３５ｂ）とを備える。
【００２６】
ＮＣＣボタン３１ｂは、ＮＣＣ制御処理部３２ｂに接続され、ナースコールの解除を当該ＮＣ解除操作ボタン装置ＮＣＣＢに入力するための例えば押しボタン式スイッチ等のスイッチ回路である。
【００２７】
ＮＣＣ通信ＩＦ部３３ｂは、ＮＣ通信ＩＦ部３３ａと同様に、ＮＣＣ制御処理部３２ｂに接続され、ＮＣＣ制御処理部３２ｂの制御に従ってセンサ装置ＳＵとの間で無線通信するための通信回路である。
【００２８】
ＮＣＣ記憶部３５ｂは、ＮＣＣ制御処理部３２ｂに接続され、ＮＣＣ制御処理部３２ｂの制御に従って、各種の所定のプログラムおよび各種の所定のデータを記憶する回路である。前記各種の所定のプログラムには、例えば、ＮＣ解除操作ボタン装置ＮＣＣＢの各部を当該各部の機能に応じてそれぞれ制御するＮＣＣ制御プログラムや、ＮＣＣボタン３１ｂでナースコールの解除を受け付けた場合に、第２操作受付通信信号を生成してＮＣＣ通信ＩＦ部３３ｂを用いてセンサ装置ＳＵへ送信するナースコール解除操作プログラム等の制御処理プログラムが含まれる。前記各種の所定のデータには、自機の、ＮＣ解除操作ボタン装置ＮＣＣＢを特定し識別するための識別子であるＮＣ解除操作ボタン識別子（ＮＣ解除操作ボタンＩＤ）、センサ装置ＳＵの通信アドレス等の各プログラムを実行する上で必要なデータ等が含まれる。ＮＣＣ記憶部３５ｂは、ＮＣ記憶部３５ａと同様に、例えばＲＯＭやＥＥＰＲＯＭやＲＡＭ等を含む。
【００２９】
ＮＣＣ制御処理部３２ｂは、ＮＣ解除操作ボタン装置ＮＣＣＢの各部を当該各部の機能に応じてそれぞれ制御するための回路である。ＮＣＣ制御処理部３２ｂは、ＮＣＣボタン３１ｂでナースコールの解除を受け付けた場合に、第２操作受付通信信号を生成してＮＣＣ通信ＩＦ部３３ｂを用いてセンサ装置ＳＵへ送信する。前記第２操作受付通信信号は、センサ装置ＳＵの通信アドレスを送信先として、ナースコールの解除を受け付けた旨を表す情報であるナースコール解除情報、および、前記ナースコール解除情報に対応する、ナースコールの解除を受け付けたＮＣ解除操作ボタン装置ＮＣＣＢを示す当該ＮＣ解除操作ボタン装置ＮＣＣＢのＮＣ解除操作ボタンＩＤ等を収容する。ＮＣＣ制御処理部３２ｂは、ＮＣ制御処理部３２ａと同様に、例えば、ＣＰＵおよびその周辺回路を備えて構成される。なお、ＮＣＣ制御処理部３２ｂおよびＮＣＣ記憶部３５ｂは、いわゆるワンチップマイクロコンピュータを備えて構成されても良い。
【００３０】
このようなＮＣ受付操作ボタン装置ＮＣＲＢおよびＮＣ解除操作ボタン装置ＮＣＣＢは、例えば、図２に示す第１および第２配置態様で介護施設の建物に配設されている。第１配置態様は、複数のＮＣ受付操作ボタン装置ＮＣＲＢと１個のＮＣ解除操作ボタン装置ＮＣＣＢとが多対１の対応関係で介護施設の建物に配設される態様である。一例では、図２Ａに示すように、２個の第１１および第１２ＮＣ受付操作ボタン装置ＮＣＲＢ−１１、ＮＣＲＢ−１２と１個の第１１ＮＣ解除操作ボタン装置ＮＣＣＢ−１１とが、被監視者Ｏｂの入居する居室ＲＭ−１に配設される。より具体的には、第１１ＮＣ受付操作ボタン装置ＮＣＲＢ−１１は、ベッドの付近に配設され、第１２ＮＣ受付操作ボタン装置ＮＣＲＢ−１２は、洗面台の付近に配設され、第１１ＮＣ解除操作ボタン装置ＮＣＣＢ−１１は、前記居室ＲＭ−１の出入り口付近に配設されている。第２配置態様は、１個のＮＣ受付操作ボタン装置ＮＣＲＢと１個のＮＣ解除操作ボタン装置ＮＣＣＢとが１対１の対応関係で介護施設の建物に配設される態様である。一例では、図２Ｂに示すように、３個の第Ｃ１ないし第Ｃ３ＮＣ受付操作ボタン装置ＮＣＲＢ−Ｃ１〜ＮＣＲＢ−Ｃ３と３個の第Ｃ１ないし第Ｃ３ＮＣ解除操作ボタン装置ＮＣＣＢ−Ｃ１〜ＮＣＣＢ−Ｃ３とが、共用スペースの一例であるトイレスペースＲＭ−Ｃに配設される。より具体的には、第Ｃ１ＮＣ受付操作ボタン装置ＮＣＲＢ−Ｃ１および第Ｃ１ＮＣ解除操作ボタン装置ＮＣＣＢ−Ｃ１は、１対１の対応関係にあり、第Ｃ１ＮＣ受付操作ボタン装置ＮＣＲＢ−Ｃ１は、前記トイレスペースＲＭ−Ｃの第１トイレＲＭ−Ｃ１内に配設され、第Ｃ１ＮＣ解除操作ボタン装置ＮＣＣＢ−Ｃ１は、前記第１トイレＲＭ−Ｃ１の出入り口の付近に配設されている。第Ｃ２ＮＣ受付操作ボタン装置ＮＣＲＢ−Ｃ２および第Ｃ２ＮＣ解除操作ボタン装置ＮＣＣＢ−Ｃ２は、１対１の対応関係にあり、第Ｃ２ＮＣ受付操作ボタン装置ＮＣＲＢ−Ｃ２は、前記トイレスペースＲＭ−Ｃの第２トイレＲＭ−Ｃ２内に配設され、第Ｃ２ＮＣ解除操作ボタン装置ＮＣＣＢ−Ｃ２は、前記第２トイレＲＭ−Ｃ２の出入り口の付近に配設されている。第Ｃ３ＮＣ受付操作ボタン装置ＮＣＲＢ−Ｃ３および第Ｃ３ＮＣ解除操作ボタン装置ＮＣＣＢ−Ｃ３は、１対１の対応関係にあり、第Ｃ３ＮＣ受付操作ボタン装置ＮＣＲＢ−Ｃ３は、前記トイレスペースＲＭ−Ｃの第３トイレＲＭ−Ｃ３内に配設され、第Ｃ３ＮＣ解除操作ボタン装置ＮＣＣＢ−Ｃ３は、前記第３トイレＲＭ−Ｃ３の出入り口の付近に配設されている。
【００３１】
センサ装置ＳＵは、監視対象である被監視者Ｏｂにおける、予め設定された所定の行動を検知し、前記所定の行動を検知した場合に、その検知結果を管理サーバ装置ＳＶへ通報（報知）する装置である。センサ装置ＳＵは、本実施形態では、ＮＣ受付操作ボタン装置ＮＣＲＢおよびＮＣ解除操作ボタン装置ＮＣＣＢそれぞれと無線で通信可能に接続されるとともに、管理サーバ装置ＳＶと通信可能に接続され、ＮＣ受付操作ボタン装置ＮＣＲＢおよびＮＣ解除操作ボタン装置ＮＣＣＢそれぞれと管理サーバ装置ＳＶとの間における通信内容を中継する。より具体的には、センサ装置ＳＵは、例えば、図６に示すように、センサ部２１と、音入出力部２２と、センサ側制御処理部（ＳＵ制御処理部）２３と、センサ側通信インターフェース部（ＳＵ通信ＩＦ部）２４と、センサ側記憶部（ＳＵ記憶部）２５とを備える。
【００３２】
センサ部２１は、ＳＵ制御処理部２３に接続され、被監視者Ｏｂにおける所定の行動を検知するために、ＳＵ制御処理部２３の制御に従って被監視者Ｏｂをセンシングするための装置である。センサ部２１には、前記所定の行動の種類およびその検知方法に応じた適宜な種類の装置が用いられる。例えば、前記所定の行動が離床および転倒であり、これら離床および転倒を画像から判定する場合には、センサ部２１は、画像（画像データ）を生成するカメラ等を備えて構成される。
【００３３】
音入出力部２２は、ＳＵ制御処理部２３に接続され、外部の音を取得してセンサ装置ＳＵに入力するための回路であって、ＳＵ制御処理部２３の制御に従って音を表す電気信号に応じた音を生成して出力するための回路である。音入出力部２２は、例えば、音の音響振動を電気信号に変換するマイクロホン等と、音の電気信号を音の音響振動に変換するスピーカ等とを備えて構成される。音入出力部２２は、外部の音を表す電気信号をＳＵ制御処理部２３へ出力し、また、ＳＵ制御処理部２３から入力された電気信号を音の音響振動に変換して出力する。
【００３４】
ＳＵ通信ＩＦ部２４は、ＳＵ制御処理部２３に接続され、ＳＵ制御処理部２３の制御に従って通信を行うための通信回路である。ＳＵ通信ＩＦ部２４は、ＮＣ受付操作ボタン装置ＮＣＲＢおよびＮＣ解除操作ボタン装置ＮＣＣＢそれぞれと通信を行うためのＮＣ用通信回路（例えば前記Ｂｌｕｅｔｏｏｔｈ（登録商標）規格等に従った通信インターフェース回路）と、管理サーバ装置ＳＶ、固定端末装置ＳＰおよび携帯端末装置ＴＡそれぞれと通信を行うための他装置用通信回路（例えばＩＥＥＥ８０２．１１規格等に従った通信インターフェース回路）とを備える。
【００３５】
ＳＵ記憶部２５は、ＳＵ制御処理部２３に接続され、ＳＵ制御処理部２３の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、センサ部２１のセンシング結果に基づいて被監視者Ｏｂにおける所定の行動を検知する行動検知処理プログラムや、ナースコールに関する所定の処理を実行するナースコール処理プログラム等の制御処理プログラムが含まれる。前記ナースコール処理プログラムには、例えば、ＮＣ受付操作ボタン装置ＮＣＲＢおよびＮＣ解除操作ボタン装置ＮＣＣＢと管理サーバ装置ＳＶとの間で通信内容を中継する中継処理プログラムや、固定端末装置ＳＰまたは携帯端末装置ＴＡとの間で音声通話を行う通話処理プログラム等が含まれる。前記各種の所定のデータには、センサ装置ＳＵを特定し識別するための識別子であるセンサ装置識別子（センサＩＤ）、管理サーバ装置ＳＶの通信アドレス等の各プログラムを実行する上で必要なデータ等が含まれる。ＳＵ記憶部２５は、ＮＣ記憶部３５ａと同様に、例えばＲＯＭやＥＥＰＲＯＭやＲＡＭ等を含む。
【００３６】
ＳＵ制御処理部２３は、センサ装置ＳＵの各部を当該各部の機能に応じてそれぞれ制御し、ナースコールに関する所定の処理を実行し、被監視者Ｏｂにおける予め設定された所定の行動を検知するための回路である。ＳＵ制御処理部２３は、例えば、ＣＰＵおよびその周辺回路を備えて構成される。ＳＵ制御処理部２３は、前記制御処理プログラムが実行されることによって、センサ側制御部（ＳＵ制御部）２３１、行動検知処理部２３２およびナースコール処理部（ナースコール処理部）２３３を機能的に備える。
【００３７】
ＳＵ制御部２３１は、センサ装置ＳＵの各部を当該各部の機能に応じてそれぞれ制御し、センサ装置ＳＵの全体制御を司るものである。
【００３８】
行動検知処理部２３２は、センサ部１１のセンシング結果に基づいて被監視者Ｏｂにおける、予め設定された所定の行動を検知するものであり、前記所定の行動を検知した場合に、前記所定の行動を検知した旨を表す通信信号（行動検知通信信号）を管理サーバ装置ＳＶへ送信するものである。前記行動検知通信信号は、前記検知した所定の行動（検知結果）およびセンサＩＤ等を収容する。上述の例では、行動検知処理部２３２は、センサ部２１から出力された画像から離床および転倒が判定される。より具体的には、例えば、画像中における例えばベッド等の寝具の領域がＳＵ記憶部２５に予め記憶され、行動検知処理部２３２は、例えば背景差分法やフレーム差分法によって動体領域を人物領域として抽出し、この抽出した動体領域（人物領域）が寝具の領域から外れた場合に離床と判定し、この抽出した動体領域（人物領域）が寝具の領域外であって頭部の高さが床面上の高さに相当する場合に転倒と判定する。頭部は、動体領域（人物領域）から、例えば頭部のパターンマッチングや円形を抽出するハフ変換等を用いて抽出される。
【００３９】
ナースコール処理部２３３は、ナースコールに関する所定の処理を実行するものである。より具体的には、ナースコール処理部２３３は、ＮＣ受付操作ボタン装置ＮＣＲＢおよびＮＣ解除操作ボタン装置ＮＣＣＢと管理サーバ装置ＳＶとの間で通信内容を中継する。より詳しくは、ナースコール処理部２３３は、ＮＣ受付操作ボタン装置ＮＣＲＢから前記第１操作受付通信信号を受信すると、この受信した第１操作受付通信信号の通信内容、すなわち、ナースコールを受け付けた旨を表す情報である前記ナースコール受付情報、および、前記ナースコール受付情報に対応する、ナースコールを受け付けたＮＣ受付操作ボタン装置ＮＣＲＢを示す当該ＮＣ受付操作ボタン装置ＮＣＲＢのＮＣ受付操作ボタンＩＤ等を収容した通信信号（第１操作受付中継通信信号、第２通信信号の一例）を、当該センサ装置ＳＵを送信元とすると共に管理サーバ装置ＳＶを送信先として、ＳＵ通信ＩＦ部２４によって送信する。ナースコール処理部２３３は、ＮＣ解除操作ボタン装置ＮＣＣＢから前記第２操作受付通信信号を受信すると、この受信した第２操作受付通信信号の通信内容、すなわち、ナースコールの解除を受け付けた旨を表す情報である前記ナースコール解除情報、および、前記ナースコール解除情報に対応する、ナースコールの解除を受け付けたＮＣ解除操作ボタン装置ＮＣＣＢを示す当該ＮＣ解除操作ボタン装置ＮＣＣＢのＮＣ解除操作ボタンＩＤ等を収容した通信信号（第２操作受付中継通信信号、ナースコール解除通信信号の一例であって第１通信信号の一例）を、当該センサ装置ＳＵを送信元とすると共に管理サーバ装置ＳＶを送信先として、ＳＵ通信ＩＦ部２４によって送信する。ナースコール処理部２３３は、管理サーバ装置ＳＶから、ナースコールの解除を指示するための通信信号（第１操作解除通報通信信号）を受信すると、この受信した第１操作解除通報通信信号の通信内容、すなわち、ナースコールの解除を指示する旨を表す情報であるナースコール解除指示情報、および、前記ナースコール解除指示情報に対応する、ナースコールを解除させるＮＣ受付操作ボタン装置ＮＣＲＢを示す当該ＮＣ受付操作ボタン装置ＮＣＲＢのＮＣ受付操作ボタンＩＤ等を収容した前記第１操作解除通信信号をＳＵ通信ＩＦ部２４によって送信する。そして、ナースコール処理部２３３は、固定端末装置ＳＰまたは携帯端末装置ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行うものである。
【００４０】
管理サーバ装置ＳＶは、中央処理装置の一例に相当し、ネットワークＮＷを介して他の装置ＳＵ、ＳＰ、ＴＡと通信する通信機能を備え、センサ装置ＳＵから前記行動検知通信信号を受信して被監視者Ｏｂにおける所定の行動に関する情報（検知行動情報）を管理する機器である。管理サーバ装置ＳＶは、センサ装置ＳＵから前記行動検知通信信号を受信すると、被監視者Ｏｂに対する前記検知行動情報（例えば所定の行動の種類（上述の例では離床、転倒）、前記所定の行動を検知したセンサ装置ＳＵのセンサＩＤ、および、前記所定の行動を検知した時刻（または前記行動検知通信信号の受信時刻等）を記憶（記録）し、そして、被監視者Ｏｂに対する前記検知行動情報等を収容した通信信号（検知行動通報通信信号）を所定の固定端末装置ＳＰおよび携帯端末装置ＴＡに送信する。管理サーバ装置ＳＶは、クライアント（本実施形態では固定端末装置ＳＰおよび携帯端末装置ＴＡ等）の要求に応じたデータを前記クライアントに提供する。そして、本実施形態では、ＮＣ受付操作ボタン装置ＮＣＲＢおよびＮＣ解除操作ボタン装置ＮＣＣＢそれぞれの通信内容がセンサ装置ＳＵによって管理サーバ装置ＳＶへ中継される。管理サーバ装置ＳＶは、ＮＣ受付操作ボタン装置ＮＣＲＢでナースコールを受け付けた旨が通報されると、後述するように、ナースコールの受付に対応する所定のナースコール受付処理（前記所定の第１処理の一例に相当）を実行し、前記第２操作受付中継通信信号によってＮＣ解除操作ボタン装置ＮＣＣＢでナースコールの解除を受け付けた旨が通報されると、後述するように、ナースコールの解除に対応する所定のナースコール解除処理（前記所定の第２処理の一例に相当）を実行する。より具体的には、管理サーバ装置ＳＶは、例えば、図３に示すように、サーバ側通信インターフェース部（ＳＶ通信ＩＦ部）１１と、サーバ側制御処理部（ＳＶ制御処理部）１２と、サーバ側記憶部（ＳＶ記憶部）１３とを備える。
【００４１】
ＳＶ通信ＩＦ部１１は、ＳＶ制御処理部１２に接続され、ＳＶ制御処理部１２の制御に従って通信を行うための通信回路である。ＳＶ通信ＩＦ部１１は、例えば、ＩＥＥＥ８０２．１１規格等に従った通信インターフェース回路を備えて構成される。
【００４２】
ＳＶ記憶部１３は、ＳＶ制御処理部１２に接続され、ＳＶ制御処理部１２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の処理を実行するＳＶ監視処理プログラム等の制御処理プログラムが含まれる。前記ＳＶ監視処理プログラムには、例えば、センサ装置ＳＵから前記行動検知通信信号を受信した場合に、被監視者Ｏｂに対する前記検知行動情報を記憶（記録）し、前記検知行動通報通信信号を所定の固定端末装置ＳＰおよび携帯端末装置ＴＡに送信する検知行動記録通報プログラムや、センサ装置ＳＵから前記第１操作受付中継通信信号を受信した場合に、前記ナースコール受付処理を実行するナースコール受付処理プログラムや、センサ装置ＳＵから前記第２操作受付中継通信信号を受信した場合に、前記ナースコール解除処理を実行するナースコール解除処理プログラム等が含まれる。前記各種の所定のデータには、前記検知行動通報通信信号の通報先やナースコールの通報先を表す通報先情報や、ＮＣ受付操作ボタン装置ＮＣＲＢとＮＣ解除操作ボタン装置ＮＣＣＢとを、１対１および多対１のうちの一方で対応付けた関係を表す対応関係情報等の各プログラムを実行する上で必要なデータ等が含まれる。これら通報先情報および対応関係情報を記憶するために、ＳＶ記憶部１３は、通報先情報記憶部１３１および対応関係情報記憶部１３２を機能的に備える。
【００４３】
通報先情報記憶部１３１は、前記通報先情報を記憶するものである。前記通報先情報は、より具体的には、前記行動検知通信信号を送信した送信元のセンサ装置ＳＵと、前記行動検知通信信号に応じて前記検知行動通報通信信号を通報すべき通報先の端末装置（固定端末装置ＳＰ、携帯端末装置ＴＡ）との対応関係であって、前記第１操作受付中継通信信号を送信した送信元のセンサ装置ＳＵと、前記第１操作受付中継通信信号に応じて、ナースコールを受け付けた旨を端末装置ＳＰ、ＴＡへ通報するための通信信号（第１操作受付通報通信信号）を通報すべき通報先の端末装置ＳＰ、ＴＡとの前記対応関係を表す情報である。このような通報先情報は、本実施形態では、テーブル形式で通報先情報記憶部１３１に記憶されている。この通報先情報を登録する通報先情報テーブル１３１０は、例えば、図４に示すように、前記行動検知通信信号や前記第１操作受付中継通信信号を送信した送信元のセンサ装置ＳＵのセンサＩＤを登録する送信元フィールド１３１１と、送信元フィールド１３１１に登録されたセンサＩＤに対応するセンサ装置ＳＵから前記行動検知通信信号や前記第１操作受付中継通信信号を受信した場合に、それに対応する前記検知行動通報通信信号や前記第１操作受付通報通信信号を通報すべき通報先の端末装置ＳＰ、ＴＡの端末識別子（端末ＩＤ）を登録する通報先フィールド１３１２とを備え、センサ装置ＳＵごとにレコードを備える。前記端末ＩＤは、端末装置ＳＰ、ＴＡを特定し識別するための識別子である。
【００４４】
対応関係情報記憶部１３２は、前記対応関係情報を記憶するものである。前記対応関係情報は、本実施形態では、テーブル形式で対応関係情報記憶部１３２に記憶されている。この対応関係情報を登録する対応関係情報テーブル１３２０は、例えば、図５に示すように、前記第２操作受付装置の一例に相当するＮＣ解除操作ボタン装置ＮＣＣＢのＮＣ解除操作ボタンＩＤを登録するＮＣ解除操作ボタンフィールド１３２１と、前記ＮＣ解除操作ボタンフィールド１３２１に登録されたＮＣ解除操作ボタンＩＤに対応するＮＣ解除操作ボタン装置ＮＣＣＢに対応付けられた、前記第１操作受付装置の一例に相当するＮＣ受付操作ボタン装置ＮＣＲＢの１または複数のＮＣ受付操作ボタンＩＤを登録するＮＣ受付操作ボタンフィールド１３２２とを備え、ＮＣ解除操作ボタン装置ＮＣＣＢごとにレコードを備える。例えば、上述したように、図２Ａに示す例では、２個の第１１および第１２ＮＣ受付操作ボタン装置ＮＣＲＢ−１１、ＮＣＲＢ−１２と１個の第１１ＮＣ解除操作ボタン装置ＮＣＣＢ−１１とが、被監視者Ｏｂの入居する居室ＲＭ−１に配設されるので、第１１ＮＣ解除操作ボタン装置ＮＣＣＢ−１１は、多対１で、第１１および第１２ＮＣ受付操作ボタン装置ＮＣＲＢ−１１、ＮＣＲＢ−１２と対応付けられており、ＮＣ解除操作ボタンフィールド１３２１には、第１１ＮＣ解除操作ボタン装置ＮＣＣＢ−１１のＮＣ解除操作ボタンＩＤ；ＮＣＣＢ−１１が登録され、そのレコードのＮＣ受付操作ボタンフィールド１３２２には、第１１および第１２ＮＣ受付操作ボタン装置ＮＣＲＢ−１１、ＮＣＲＢ−１２のＮＣ受付操作ボタンＩＤ；ＮＣＲＢ−１１、ＮＣＲＢ−１２が登録されている。また例えば、上述したように、図２Ｂに示す例では、１個の第Ｃ１ＮＣ受付操作ボタン装置ＮＣＲＢ−Ｃ１と１個の第Ｃ１ＮＣ解除操作ボタン装置ＮＣＣＢ−Ｃ１とが、トイレスペースＲＭ−Ｃの第１トイレＲＭ−Ｃ１に配設されるので、第Ｃ１ＮＣ解除操作ボタン装置ＮＣＣＢ−Ｃ１は、１対１で、第Ｃ１ＮＣ受付操作ボタン装置ＮＣＲＢ−Ｃと対応付けられており、ＮＣ解除操作ボタンフィールド１３２１には、第Ｃ１ＮＣ解除操作ボタン装置ＮＣＣＢ−Ｃ１のＮＣ解除操作ボタンＩＤ；ＮＣＣＢ−Ｃ１が登録され、そのレコードのＮＣ受付操作ボタンフィールド１３２２には、第Ｃ１ＮＣ受付操作ボタン装置ＮＣＲＢ−Ｃ１のＮＣ受付操作ボタンＩＤ；ＮＣＲＢ−Ｃが登録されている。
【００４５】
このようなＳＶ記憶部１３は、ＮＣ記憶部３５ａと同様に、例えばＲＯＭやＥＥＰＲＯＭやＲＡＭ等を含む。
【００４６】
ＳＶ制御処理部１２は、管理サーバ装置ＳＶの各部を当該各部の機能に応じてそれぞれ制御し、ナースコール受付処理を実行し、ナースコール解除処理を実行し、被監視者Ｏｂに対する監視に関する所定の処理を実行するための回路である。ＳＶ制御処理部１２は、例えば、ＣＰＵおよびその周辺回路を備えて構成される。ＳＶ制御処理部１２は、前記制御処理プログラムが実行されることによって、サーバ側制御部（ＳＶ制御部）１２１およびサーバ側監視処理部（ＳＶ監視処理部）１２２を機能的に備える。
【００４７】
ＳＶ制御部１２１は、管理サーバ装置ＳＶの各部を当該各部の機能に応じてそれぞれ制御し、管理サーバ装置ＳＶの全体制御を司るものである。
【００４８】
ＳＶ監視処理部１２２は、センサ装置ＳＵから前記行動検知通信信号を受信した場合に、被監視者Ｏｂに対する前記検知行動情報を記憶（記録）し、前記行動検知通信信号を送信したセンサ装置ＳＵに対応する通報先を通報先情報記憶部１３１の通報先情報テーブル１３１０から選定（検索）し、この選定した端末装置ＳＰ、ＴＡへ前記検知行動通報通信信号を送信するものである。
【００４９】
ＳＶ監視処理部１２２は、ＮＣ受付操作ボタン装置ＮＣＲＢでナースコールを受け付けた旨を表す第１操作受付中継通信信号をＳＶ通信ＩＦ部１１で受信した場合に、ナースコール受付処理の１つとして、この受信した第１操作受付中継通信信号のＮＣ受付操作ボタン装置ＮＣＲＢでナースコールを受け付けた旨を外部の所定の固定端末装置ＳＰおよび携帯端末装置ＴＡに通報し、ＮＣ解除操作ボタン装置ＮＣＣＢでナースコールの解除を受け付けた旨を表す第２操作受付中継通信信号をＳＶ通信ＩＦ部１１で受信した場合に、ナースコール解除処理の１つとして、この受信した第２操作受付中継通信信号のＮＣ解除操作ボタン装置ＮＣＣＢに対応するＮＣ受付操作ボタン装置ＮＣＲＢをＳＶ記憶部１３に記憶された後述の対応関係情報から選定し、この選定したＮＣ受付操作ボタン装置ＮＣＲＢに対応するナースコールの受付を解除する。
【００５０】
より具体的には、ＳＶ監視処理部１２２は、ＮＣ受付操作ボタン装置ＮＣＲＢでナースコールを受け付けた旨を通報するために、センサ装置ＳＵから前記第１操作受付中継通信信号を受信した場合に、ナースコール受付処理を実行する。前記ナースコール受付処理は、ＮＣ受付操作ボタン装置ＮＣＲＢの第１操作受付通信信号を第１操作受付中継通信信号によって中継したセンサ装置ＳＵ（前記第１操作受付中継通信信号の送信元）に対応する通報先を通報先情報記憶部１３１の通報先情報テーブル１３１０から選定（検索）し、この選定した端末装置ＳＰ、ＴＡへ前記第１操作受付通報報通信信号を送信する処理である。ＳＶ監視処理部１２２は、ＮＣ解除操作ボタン装置ＮＣＣＢでナースコールの解除を受け付けた旨を通報するために、センサ装置ＳＵから前記第２操作受付中継通信信号を受信した場合に、ナースコール解除処理を実行する。前記ナースコール解除処理は、センサ装置ＳＵによって中継された第２操作受付中継通信信号に収容されたＮＣ解除操作ボタンＩＤを持つＮＣ解除操作ボタン装置ＮＣＣＢに対応するＮＣ受付操作ボタン装置ＮＣＲＢを対応関係情報記憶部１３２の対応関係情報テーブル１３２０から選定（検索）し、この選定したＮＣ受付操作ボタン装置ＮＣＲＢのＮＣ受付操作ボタンＩＤを収容した前記第１操作解除通報通信信号をセンサ装置ＳＵへ送信する処理である。センサ装置ＳＵは、この第１操作解除通報通信信号を受信すると、上述したように、前記第１操作解除通信信号をＳＵ通信ＩＦ部２４によって送信する。
【００５１】
なお、管理サーバ装置ＳＶは、図３に破線で示すように、必要に応じて、さらに、ＳＶ制御処理部１２に接続され例えば各種コマンドや各種データ等を入力するサーバ側入力部（ＳＶ入力部）１４、ＳＶ入力部１４で入力された各種コマンドや各種データおよび被監視者Ｏｂに対する検知行動情報等を出力するサーバ側出力部（ＳＶ出力部）１５、および、外部機器との間でデータの入出力を行うサーバ側インターフェース部（ＳＶＩＦ部）１６等を備えても良い。
【００５２】
このような管理サーバ装置ＳＶは、例えば、通信機能付きのコンピュータによって構成可能である。
【００５３】
なお、上述のＮＣ受付操作ボタンＩＤ、ＮＣ解除操作ボタンＩＤ、センサＩＤおよび端末ＩＤは、例えば、シリアル番号や通信アドレス等であって良い。
【００５４】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた検知行動情報を表示したり等することによって、被監視者監視システムＭＳのユーザインターフェース（ＵＩ）として機能する機器である。このような固定端末装置ＳＰは、例えば、通信機能付きのコンピュータによって構成可能である。
【００５５】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通報によってセンサ装置ＳＵで得られた検知行動情報を表示したり、管理サーバ装置ＳＶからの通報によってセンサ装置ＳＵとの間で音声通話したり等することによって、被監視者Ｏｂに対する前記検知行動情報を受け付けて表示し、ナースコールに応答するための機器である。このような携帯端末装置ＴＡは、例えば、いわゆるタブレット型コンピュータやスマートフォンや携帯電話機等の、持ち運び可能な通信端末装置によって構成可能である。
【００５６】
次に、本実施形態の動作について説明する。このような構成の被監視者監視システムＭＳでは、各装置ＮＣＲＢ、ＮＣＣＢ、ＳＵ、ＳＶ、ＳＰ、ＴＡは、電源が投入されると、必要な各部の初期化を実行し、その稼働を始める。また、管理サーバ装置ＳＶでは、その制御処理プログラムの実行によって、ＳＶ制御処理部１２には、ＳＶ制御部１２１およびＳＶ監視処理部１２２が機能的に構成される。センサ装置ＳＵでは、その制御処理プログラムの実行によって、ＳＵ制御処理部２３には、ＳＵ制御部２３１、行動検知処理部２３２およびナースコール処理部２３３が機能的に構成される。
【００５７】
そして、上記構成の被監視者監視システムＭＳは、大略、次の動作によって、各被監視者Ｏｂそれぞれを監視している。センサ装置ＳＵは、行動検知処理部２３２によって、センサ部１１のセンシング結果に基づいて被監視者Ｏｂにおける所定の行動を検知し、前記所定の行動を検知した場合に、前記行動検知通信信号を管理サーバ装置ＳＶへ送信する。
【００５８】
管理サーバ装置ＳＶは、前記行動検知通信信号をセンサ装置ＳＵから受信すると、この行動検知通信信号に収容された被監視者Ｏｂに対する前記検知行動情報を記憶（記録）し、前記行動検知通信信号を送信したセンサ装置ＳＵに対応する通報先を通報先情報記憶部１３１の通報先情報テーブル１３１０から選定（検索）し、この選定した端末装置ＳＰ、ＴＡへ前記検知行動通報通信信号を送信する。これによって被監視者Ｏｂにおける所定の行動が端末装置ＳＰ、ＴＡを介して例えば看護師や介護士等の監視者に報知される。
【００５９】
固定端末装置ＳＰおよび携帯端末装置ＴＡは、前記検知行動通報通信信号を管理サーバ装置ＳＶから受信すると、この検知行動通報通信信号に収容された前記検知行動情報を表示する。このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂにおける所定の行動を検知して各被監視者Ｏｂを監視している。
【００６０】
次に、被監視者監視システムＭＳにおける、ナースコールの動作について、主に、説明する。図８は、実施形態の被監視者監視システムにおける管理サーバ装置の主にナースコールに関する動作を示すフローチャートである。
【００６１】
図８において、ＳＶ制御処理部１２は、通信信号を受信すると（Ｓ１）、この受信した通信信号の種類を判定する（Ｓ２）。この判定の結果、この受信した通信信号が第１操作受付中継通信信号である場合には、ＳＶ制御処理部１２は、処理Ｓ３および処理Ｓ４を順次に実行して処理を終了する。前記判定の結果、この受信した通信信号が第２操作受付中継通信信号である場合には、ＳＶ制御処理部１２は、処理Ｓ５および処理Ｓ６を順次に実行して処理を終了する。そして、前記判定の結果、この受信した通信信号が第１および第２操作受付中継通信信号を除く他の通信信号である場合には、ＳＶ制御処理部１２は、この受信した通信信号に応じた適宜な処理（例えば上述した前記検知行動情報の記憶（記録）処理や前記検知行動通報通信信号の送信処理等）を実行し（Ｓ７）、処理を終了する。
【００６２】
ここで、第１操作受付中継通信信号は、次のように管理サーバ装置ＳＶへ送信される。まず、ＮＣ受付操作ボタン装置ＮＣＲＢのＮＣボタン３１ａが被監視者Ｏｂ等によって操作されると、前記ＮＣ受付操作ボタン装置ＮＣＲＢのＮＣ制御処理部３２ａは、自機のＮＣ受付操作ボタンＩＤ等を収容した第１操作受付通信信号をＮＣ通信ＩＦ部３３ａによって送信し、そして、この第１操作受付通信信号を受信したセンサ装置ＳＵは、この受信した第１操作受付通信信号に収容されたＮＣ受付操作ボタンＩＤ等を収容した第１操作受付中継通信信号をＳＵ通信ＩＦ部２４によって管理サーバ装置ＳＶへ送信する。
【００６３】
また、第２操作受付中継通信信号は、次のように管理サーバ装置ＳＶへ送信される。まず、ＮＣ解除操作ボタン装置ＮＣＣＢのＮＣＣボタン３１ｂが監視者等によって操作されると、前記ＮＣ解除操作ボタン装置ＮＣＣＢのＮＣＣ制御処理部３２ｂは、自機のＮＣ解除操作ボタンＩＤ等を収容した第２操作受付通信信号をＮＣＣ通信ＩＦ部３３ｂによって送信し、そして、この第２操作受付通信信号を受信したセンサ装置ＳＵは、この受信した第２操作受付通信信号に収容されたＮＣ解除操作ボタンＩＤ等を収容した第２操作受付中継通信信号をＳＵ通信ＩＦ部２４によって管理サーバ装置ＳＶへ送信する。
【００６４】
処理Ｓ３では、ＳＶ制御処理部１１は、ＳＶ監視処理部１２２によって、処理Ｓ１で受信した第１操作受付中継通信信号に応じた通報先を取得する。より具体的には、ＳＶ監視処理部１２２は、処理Ｓ１で受信した第１操作受付中継通信信号の送信元のセンサ装置ＳＵに対応する通報先を通報先情報記憶部１３１の通報先情報テーブル１３１０から選定（検索）する。より詳しくは、ＳＶ監視処理部１２２は、処理Ｓ１で受信した第１操作受付中継通信信号の送信元のセンサ装置ＳＵに対応するセンサＩＤを送信元フィールド１３１１に登録するレコードを検索し、この検索したレコードにおける通報先フィールド１３１２に登録された端末ＩＤを通報先として取り出す。
【００６５】
そして、処理Ｓ４では、ＳＶ制御処理部１１は、ＳＶ監視処理部１２２によって、処理Ｓ３で取得した通報先へナースコールを通報する。より具体的には、ＳＶ監視処理部１２２は、処理Ｓ３で取得した通報先の端末装置ＳＰ、ＴＡへ第１操作受付通報報通信信号を送信する。より詳しくは、ＳＶ監視処理部１２２は、処理Ｓ３で取得した通報先の端末装置ＳＰ、ＴＡを送信先として、ナースコールを受け付けた旨を表す情報、および、処理Ｓ１で受信した第１操作受付中継通信信号の送信元のセンサ装置ＳＵに対応するセンサＩＤ等を収容した第１操作受付通報報通信信号をＳＶ通信ＩＦ部１１によって送信する。これによってＮＣ受付操作ボタン装置ＮＣＲＢで受け付けたナースコールが通報される。
【００６６】
一方、処理Ｓ５では、ＳＶ制御処理部１１は、ＳＶ監視処理部１２２によって、処理Ｓ１で受信した第２操作受付中継通信信号に応じてナースコールを解除すべきＮＣ受付操作ボタン装置ＮＣＲＢを取得する。より具体的には、ＳＶ監視処理部１２２は、処理Ｓ１で受信した第２操作受付中継通信信号のＮＣ解除操作ボタン装置ＮＣＣＢに対応するＮＣ受付操作ボタン装置ＮＣＲＢを対応関係情報記憶部１３２に記憶された対応関係情報から選定（検索）する。より詳しくは、ＳＶ監視処理部１２２は、処理Ｓ１で受信した第２操作受付中継通信信号に収容されたＮＣ解除操作ボタンＩＤをＮＣ解除操作ボタンフィールド１３２１に登録するレコードを検索し、この検索したレコードにおけるＮＣ受付操作ボタンフィールド１３２２に登録されたＮＣ受付操作ボタンＩＤを取り出す。
【００６７】
そして、処理Ｓ６では、ＳＶ制御処理部１１は、ＳＶ監視処理部１２２によって、処理Ｓ５で取得したＮＣ受付操作ボタンＩＤを持つＮＣ受付操作ボタン装置ＮＣＲＢで受け付けたナースコールを解除する。より具体的には、ＳＶ監視処理部１２２は、処理Ｓ５で取得したＮＣ受付操作ボタンＩＤを収容した第１操作解除通報信号をＳＶ通信ＩＦ部１１によってセンサ装置ＳＵへ送信する。これによってＮＣ受付操作ボタン装置ＮＣＲＢで受け付けたナースコールが解除される。
【００６８】
以上説明したように、本実施形態における被監視者監視システムＭＳ、その管理サーバ装置ＳＶおよびこれに実装された方法は、ＮＣ受付操作ボタン装置ＮＣＲＢとＮＣ解除操作ボタン装置ＮＣＣＢとを、１対１および多対１のうちの一方で対応付けた関係を表す対応関係情報を対応関係情報記憶部１３２に記憶しているので、管理サーバ装置ＳＶとＮＣ受付操作ボタン装置ＮＣＲＢおよびＮＣ解除操作ボタン装置ＮＣＣＢそれぞれとの間の通信回線に無線を含む場合でも、ＮＣ受付操作ボタン装置ＮＣＲＢとＮＣ解除操作ボタン装置ＮＣＣＢとを適切に対応付けられる。したがって、上記被監視者監視システムＭＳ、その管理サーバ装置ＳＶおよびその方法は、第２操作受付中継通信信号を受信した場合に、この受信した前記第２操作受付中継通信信号のＮＣ解除操作ボタン装置ＮＣＣＢに対応するＮＣ受付操作ボタン装置ＮＣＲＢを前記対応関係情報から選定でき、この選定したＮＣ受付操作ボタン装置ＮＣＲＢに対応するナースコールの受付に対し、ナースコールの解除を実行できる。
【００６９】
なお、上述の実施形態では、センサ装置ＳＵは、ＮＣ受付操作ボタン装置ＮＣＲＢおよびＮＣ解除操作ボタン装置ＮＣＣＢそれぞれと管理サーバ装置ＳＶとの間における通信内容を中継したが、センサ装置ＳＵは、ＮＣ受付操作ボタン装置ＮＣＲＢおよびＮＣ解除操作ボタン装置ＮＣＣＢそれぞれと管理サーバ装置ＳＶとの間における通信信号そのものを中継し、ＮＣ受付操作ボタン装置ＮＣＲＢおよびＮＣ解除操作ボタン装置ＮＣＣＢそれぞれと管理サーバ装置ＳＶとは、センサ装置ＳＵを介して通信可能に接続されても良い。
【００７０】
本明細書は、上記のように様々な態様の技術を開示しているが、そのうち主な技術を以下に纏める。
【００７１】
一態様にかかる中央処理装置は、所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作が前記センサ装置を介して通報された場合に前記第１操作に対応する所定の第１処理を実行し、前記第２操作受付装置で受け付けた前記第２操作が前記センサ装置を介して通報された場合に前記第２操作に対応する所定の第２処理を実行し、前記センサ装置から通報された前記被監視者における前記所定の行動に関する検知行動情報を管理する中央処理装置とを備える被監視者監視システムの前記中央処理装置であって、通信を行う通信部と、前記第１操作受付装置と前記第２操作受付装置とを、１対１および多対１のうちの一方で対応付けた関係を表す対応関係情報を記憶する記憶部と、前記第１および第２処理それぞれを実行する処理部とを備え、前記処理部は、前記第２操作受付装置で前記第２操作を受け付けた旨を表す第１通信信号を前記通信部で受信した場合に、前記受信した第１通信信号の前記第２操作受付装置に対応する第１操作受付装置を前記記憶部に記憶された前記対応関係情報から選定し、前記選定した第１操作受付装置に対応する前記第１処理を引き継いで、前記第２操作を受け付けた場合に実行される前記第２処理を実行する。
【００７２】
このような中央処理装置は、前記第１操作受付装置と前記第２操作受付装置とを、１対１および多対１のうちの一方で対応付けた関係を表す対応関係情報を前記記憶部に記憶しているので、中央処理装置と第１操作受付装置および第２操作受付装置それぞれとの間の通信回線に無線を含む場合でも、第１操作受付装置と第２操作受付装置とを適切に対応付けられる。したがって、このような中央処理装置は、前記処理部によって、前記第１通信信号を前記通信部で受信した場合に、この受信した前記第２操作受付通信信号の前記第２操作受付装置に対応する第１操作受付装置を前記記憶部に記憶された前記対応関係情報から選定でき、この前記選定した第１操作受付装置に対応する前記第１処理を引き継いで、前記第２操作を受け付けた場合に実行される前記第２処理を実行できる。
【００７３】
他の一態様では、上述の中央処理装置において、前記第１操作受付装置は、前記第１操作としてナースコールを受け付けるナースコール受付操作ボタン装置であり、前記第２操作受付装置は、前記第２操作としてナースコールの解除を受け付けるナースコール解除操作ボタン装置であり、前記処理部は、前記ナースコール受付操作ボタン装置で前記ナースコールを受け付けた旨を表す第２通信信号を前記通信部で受信した場合に、前記受信した第２通信信号の前記ナースコール受付操作ボタン装置でナースコールを受け付けた旨を通報し、前記ナースコール解除操作ボタン装置で前記ナースコールの解除を受け付けた旨を表すナースコール解除通信信号を前記第１通信信号として前記通信部で受信した場合に、前記受信したナースコール解除通信信号の前記ナースコール解除操作ボタン装置に対応するナースコール受付操作ボタン装置を前記記憶部に記憶された前記対応関係情報から選定し、前記選定したナースコール受付操作ボタン装置に対応するナースコールの受付を、前記第２操作を受け付けた場合に実行される前記第２処理として、解除する。
【００７４】
このような中央処理装置は、中央処理装置と第１操作受付装置および第２操作受付装置それぞれとの間の通信回線に無線を含むナースコールシステムを提供できる。
【００７５】
他の一態様にかかる中央処理方法は、所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作を前記センサ装置を介して通報された場合に前記第１操作に対応する所定の第１処理を実行し、前記第２操作受付装置で受け付けた前記第２操作を前記センサ装置を介して通報された場合に前記第２操作に対応する所定の第２処理を実行し、前記センサ装置から通報された前記被監視者における前記所定の行動に関する検知行動情報を管理する中央処理装置とを備える被監視者監視システムの中央処理方法であって、通信を行う通信工程と、前記第１操作受付装置と前記第２操作受付装置とを、１対１および多対１のうちの一方で対応付けた関係を表す対応関係情報を記憶部に記憶する記憶工程と、前記第１および第２処理それぞれを実行する処理工程とを備え、前記処理工程は、前記第２操作受付装置で前記第２操作を受け付けた旨を表す第１通信信号を前記通信工程で受信した場合に、前記受信した第１通信信号の前記第２操作受付装置に対応する第１操作受付装置を前記記憶部に記憶された前記対応関係情報から選定し、前記選定した第１操作受付装置に対応する前記第１処理を引き継いで、前記第２操作を受け付けた場合に実行される前記第２処理を実行する。
【００７６】
このような中央処理方法は、前記第１操作受付装置と前記第２操作受付装置とを、１対１および多対１のうちの一方で対応付けた関係を表す対応関係情報を前記記憶部に記憶しているので、中央処理装置と第１操作受付装置および第２操作受付装置それぞれとの間の通信回線に無線を含む場合でも、第１操作受付装置と第２操作受付装置とを適切に対応付けられる。したがって、このような中央処理方法は、前記処理工程によって、前記第１通信信号を前記通信部で受信した場合に、この受信した前記第１通信信号の前記第２操作受付装置に対応する第１操作受付装置を前記記憶部に記憶された前記対応関係情報から選定でき、この前記選定した第１操作受付装置に対応する前記第１処理を引き継いで、前記第２操作を受け付けた場合に実行される前記第２処理を実行できる。
【００７７】
他の一態様にかかる中央処理システムは、所定の第１操作を受け付ける１または複数の第１操作受付装置と、前記第１操作と異なる所定の第２操作を受け付ける１または複数の第２操作受付装置と、前記第１および第２操作受付装置と無線で通信可能に接続され、監視対象である被監視者における所定の行動を検知するセンサ装置と、前記センサ装置と通信可能に接続され、前記第１操作受付装置で受け付けた前記第１操作を前記センサ装置を介して通報された場合に前記第１操作に対応する所定の第１処理を実行し、前記第２操作受付装置で受け付けた前記第２操作を前記センサ装置を介して通報された場合に前記第２操作に対応する所定の第２処理を実行し、前記センサ装置から通報された前記被監視者における前記所定の行動に関する検知行動情報を管理する中央処理装置とを備える被監視者監視システムであって、前記中央処理装置は、これら上述のいずれかの中央処理装置である。
【００７８】
このような被監視者監視システムは、これら上述のいずれかの中央処理装置を備えるので、中央処理装置と第１操作受付装置および第２操作受付装置それぞれとの間の通信回線に無線を含む場合でも、第１操作受付装置と第２操作受付装置とを適切に対応付けられる。
【００７９】
この出願は、２０１５年８月７日に出願された日本国特許出願特願２０１５−１５７３９５を基礎とするものであり、その内容は、本願に含まれるものである。
【００８０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００８１】
本発明によれば、被監視者監視システムの中央処理装置およびその方法ならびに前記被監視者監視システムを提供できる。
【図１】
2017026219.tif 000003
【図２】
2017026219.tif 000004
【図３】
2017026219.tif 000005
【図４】
2017026219.tif 000006
【図５】
2017026219.tif 000007
【図６】
2017026219.tif 000008
【図７】
2017026219.tif 000009
【図８】
2017026219.tif 000010
【国際調査報告】
2017026219.tif 000011
2017026219.tif 000012
2017026219.tif 000013
2017026219.tif 000014